(57)【要約】    【課題】  乳幼児が嫌がることがなく、いつでも授乳などの飲料を行うことのできるようにした飲料補助具を提供する。    【解決手段】  乳幼児の顔面近くに置かれ、乳幼児が飲料容器によって飲料を行う際に用いる飲料補助具であって、補助具本体(11)は軟質の表皮内に流動部材を詰めて製作され、補助具本体上には飲料容器(20)が載置されて所望の姿勢に保持され得るとともに、乳幼児が抱き玩具として用い得るようになっている一方、補助具本体には収納ポケット部(12,13) が形成されている。収納ポケット部には胎児が胎内で聞く母親の心臓鼓動音に類似した音を発生する音源(14)を収納することができる。【選択図】  図１
2007330654.tif 000002
【特許請求の範囲】
【請求項１】
乳幼児の顔面近くに置かれ、乳幼児が飲料容器によって飲料を行う際に用いる飲料補助具であって、
補助具本体は軟質の表皮内に流動部材を詰めて製作され、補助具本体上には飲料容器が載置されて所望の姿勢に保持され得るとともに、乳幼児が抱き玩具として用い得るようになっている一方、上記補助具本体には収納ポケット部が形成されていることを特徴とする飲料補助具。
【請求項２】
上記収納ポケット部は上記補助具本体の側面に形成されている請求項１記載の飲料補助具。
【請求項３】
上記収納ポケット部は上記補助具本体の内部に形成されている請求項１記載の飲料補助具。
【請求項４】
上記収納ポケット部には乳幼児が好む音声又は音楽を発生し再生できる音源が収納されるようになっている請求項１記載の飲料補助具。
【請求項５】
上記音源は胎児が胎内で聞く母親の心臓鼓動音に類似した音を発生するようになっている請求項４記載の飲料補助具。
【請求項６】
上記音源は母親の声を再生できるようになっている請求項４記載の飲料補助具。
【発明の詳細な説明】
【技術分野】
【０００１】
この発明は飲料補助具に関し、特に乳幼児に哺乳瓶を用いて授乳させ又安眠させるのに適した補助具に関する。
【背景技術】
【０００２】
例えば、乳幼児に哺乳瓶を用いて授乳させる場合、母親などの介助が必要であり、母親などがいない場合には授乳させることができない。
【０００３】
従来、ベースに支柱を立設し、高さや角度を調整可能とした支柱の先端にクリップや受け部を設け、哺乳瓶を保持しあるいは載せ、乳幼児の口元に哺乳瓶の飲み口を位置させるようにした飲料補助具（特許文献１、特許文献２、特許文献３）、が提案されている。
【０００４】
しかし、上述の飲料補助具では支柱の先端に飲料容器を保持し、飲料容器の飲み口を上方から要介助者の顔面に向かわせるようにしているので、補助具が嵩高になりやすく、ベッドや布団等、ベースを載置する箇所が不安定な場合には補助具が顔面に向かって倒れるおそれがあり、安全性の点で好ましくない。
【０００５】
本件出願人は、補助具本体の上面の受け面に哺乳瓶を載せて粘着し滑り止めしあるいは抱きつかせることによって哺乳瓶を所望の姿勢に保持し得るようにした飲料補助具を開発するに至った（特許文献４）。
【０００６】
【特許文献１】実用新案登録第３０２７４３８号公報
【特許文献２】実開平０５−３７２４４号公報
【特許文献３】実開昭６３−１８２７５０号公報
【特許文献４】実用新案登録第３１１１１９８号公報
【発明の開示】
【発明が解決しようとする課題】
【０００７】
上述の特許文献４記載の飲料補助具では嵩高にならず、しかも姿勢が安定して倒れるおそれはないものの、乳幼児の顔面近くに置かれるので、乳幼児が嫌がって授乳できないことがあった。
【０００８】
本発明はかかる問題点に鑑み、乳幼児が嫌がることがなく、いつでも授乳などの飲料を行うことのできるようにした飲料補助具を提供することを課題とする。
【課題を解決するための手段】
【０００９】
そこで、本発明に係る飲料補助具は、乳幼児の顔面近くに置かれ、乳幼児が飲料容器によって飲料を行う際に用いる飲料補助具であって、補助具本体は軟質の表皮内に流動部材を詰めて製作され、補助具本体上には飲料容器が載置されて所望の姿勢に保持され得るとともに、乳幼児が抱き玩具として用い得るようになっている一方、上記補助具本体には収納ポケット部が形成されていることを特徴とする。
【００１０】
本発明の特徴の１つは補助具本体は軟質の表皮内に流動部材を詰めて製作するようにした点にある。これにより、補助具本体上には飲料容器を載置し押しつけることによって飲料容器を所望の姿勢に保持することができ、母親などの介助を必要とせずに乳幼児に授乳などの飲料を行わせることができる。また、飲料補助具を軟らかい材料で製作しているので、乳幼児にとって手触りが心地よい材料、例えばエラストマーなどの素材を選択すると、乳幼児が抱き玩具として用いることもできる。
【００１１】
また、本発明の他の特徴は補助具本体に収納ポケット部を形成した点にある。これにより、乳幼児が飲料補助具を抱き玩具として用いる時に収納ポケット部に音源を収納し、乳幼児が好む音声や音楽、例えば胎児が胎内で聞く母親の心臓鼓動音に類似した音を発生させ、あるいは母親の声を再生できるようにすると、乳幼児は母親の胎内でほぼ１０カ月にわたって聴き続けた母親の心臓の鼓動音や母親の声が飲料補助具から聴こえてくるので、不安感のない安心した心理状態となりやすく、乳幼児がぐずって泣くこともない。
【００１２】
しかも、飲料補助具を嫌がることがなくなる結果、飲料補助具を用いて確実に飲料、例えば授乳を行わせることができる。
【００１３】
補助具本体は変形しないような材料、例えば硬質プラスチック材料や金属材料を用いて製作してもよいが、乳幼児の顔面近くで使用するという点及び抱き玩具として用いる点を考慮すると、補助具本体は軟質の表皮内に流動部材を詰めて製作するのがよい。
【００１４】
飲料容器の保持される姿勢は飲料容器に応じて適宜選択する。例えば、哺乳瓶の場合、哺乳瓶がその飲み口を斜め下方に向けて傾斜された状態で保持されるのがよい。
【００１５】
収納ポケット部は音源など、所望の物品を収納できればどのようなものであってもよく、例えば補助具本体の外面に形成されたポケットとすることができ、又補助具本体の内部に形成することもできる。
【００１６】
音源は胎児が胎内で聞く母親の心臓鼓動音に類似した音を発生でき、あるいは母親の声を再生できればよく、例えばマイクロコンピュータで構成してもよく、又下記の実施形態に示されるような電気回路によって構成することもできる。なお、音源は乳幼児が好む他の音声や音楽を発生し再生できるようにしてもよい。
【００１７】
補助具本体の表皮は乳幼児が触って心地よく、しかも流動部材、例えば微小球、微小粒、ゲル状部材の流動性を阻害しないものであればよく、例えば薄い織布や不織布、あるいは塩化ビニル製シート、シリコン樹脂製シート、エラストマー製シートなどの軟質樹脂製シートを用いることができる。
【００１８】
微小球や微小粒には例えばプラスチック製の微小球や微小粒を用いることができ、又蕎麦殼、短いストローなどを用いることもできる。また、ゲル状部材は押圧によって変形し得るものであればよく、例えば低反発性の合成樹脂又はエラストマー樹脂を用いることができる。
【００１９】
補助具本体の上部の表皮は飲料容器を保持できることが重要である。例えば、高い粘性や高い摩擦係数の表皮、例えばシリコン樹脂製表皮や塩化ビニル製表皮を用いて飲料容器を保持するようにしてもよく、又補助具本体の上部表皮には滑り止め用の多数の突起を形成し、飲料容器を保持するようにしてもよい。
【発明を実施するための最良の形態】
【００２０】
以下、本発明を図面に示す具体例に基づいて詳細に説明する。図１ないし図３は本発明に係る飲料補助具の好ましい実施形態を示す。図において、飲料補助具１０の補助具本体１１は平面四角形で側面台形の六面体形状の受け台の形態に構成されている。
【００２１】
この補助具本体１１の表皮は上面１０Ａ、前面１０Ｂ、底面１０Ｃ及び背面１０Ｄにエラストマー製シートを、左右の両面１０Ｅ、１０Ｆに織布を用い、相互に縫合して製作され、軟質の表皮内にプラスチック材料の多数の微小球を入れて製作されている。なお、プラスチック製の微小球に代え、蕎麦殼やストローの小片を用いることもできる。
【００２２】
また、補助具本体１１の一方の側面には収納ポケット（収納ポケット部）１２が形成され、収納ポケット１３の開口は例えば両面締着テープで着脱可能に封鎖され、収納ポケット１２内には音源１４が収納されている。この音源１４は所望の波形、具体的には胎児が胎内で聴いていた母親の心臓の鼓動音に類似した音の波形を有する音源信号を出力する音源信号生成回路１４Ａ、増幅器１４Ｂ及び薄型スピーカ１４Ｃをケースに内蔵して構成されている。なお、スピーカ１４Ｃに代えて振動子を用いることもできる。
【００２３】
乳幼児を布団の上に寝かせたままで授乳する場合、図１の(a)に示されるように、乳児の顔面近くの布団上に本例の飲料補助具１０を置き、ミルクを入れた哺乳瓶（飲料容器）２０を補助具本体１１の傾斜面１０Ａ上に載せて押しつけると、補助具本体１１内の微小球が流動して傾斜面が凹状となって広い接触面積でもって哺乳瓶２０に抱きつき、哺乳瓶２０はエラストマーの物性に起因してその飲み口２０Ａを下方に向けて傾斜した姿勢で滑り止めされ、その姿勢に保持される。
【００２４】
乳幼児が顔を横に向けると、口元に哺乳瓶２０の飲み口２０Ａがくるので、飲み口２０Ａをくわえて吸うと、ミルクを飲むことができる。
【００２５】
乳幼児がぐずったり泣いたりする場合には図１の(b)に示されるように、本例の飲料補助具１０を乳幼児に抱かせあるいは胸部の上に載せ、音源１４をＯＮし、スピーカ１４Ｃから胎内で聴いていた「ドックン」「ドックン」という母親の心臓の鼓動音に類似した音を発生させる。すると、乳幼児は母親の胎内でほぼ１０カ月にわたって聴き続けた母親の心臓の鼓動音が飲料補助具１０から聴こえてくるので、不安を感じることのない安心した快適な心理状態となり、ぐずったり泣いたりしなくなる。
【００２６】
また、乳幼児が本例の飲料補助具１０に好ましい感触を得る結果、顔面近くに飲料補助具１０があっても嫌がることはなく、飲料補助具１０を用いて確実に授乳を行わせることができる。
【００２７】
図４は第２の実施形態を示し、図において図１ないし図３と同一符号は同一又は相当部分を示す。本例では補助具本体１１内に収納空間（収納ポケット部）１３を形成し、音源１４を補助具本体１１内に内蔵できるようにしている。
【図面の簡単な説明】
【００２８】
【図１】本発明に係る飲料補助具の好ましい実施形態の使用例を示す図である。
【図２】上記実施形態を示す概略斜視図である。
【図３】上記実施形態における音源の回路構成の１例を示す図である。
【図４】第２の実施形態を示す図である。
【符号の説明】
【００２９】
１０    飲料補助具
１１    補助具本体
１２    収納ポケット（収納ポケット部）
１３    収納空間（収納ポケット部）
１４    音源
２０    哺乳瓶（飲料容器）
２０Ａ    飲み口
【図１】
2007330654.tif 000003
【図２】
2007330654.tif 000004
【図３】
2007330654.tif 000005
【図４】
2007330654.tif 000006